(57)【特許請求の範囲】
【請求項１】
被取付位置に取付けられる照明器具にあって、
係止片が突設された凸状のバネ受けが発光モジュールの上部に取付けられ、
前記バネ受けを復元力で器具本体側に押圧して前記発光モジュールを前記器具本体に装着するために前記器具本体側に取付けられたバネ部材であって、
コイル状に形成され、そのコイル軸線方向に離間して配置された二個一対のコイルバネ部と、
前記コイルバネ部のうちの一方から延出するバネ線材の延出部が前記係止片に係止するように曲げられて形成され、前記コイルバネ部の他方に連続するフレーム部と、
前記フレーム部の前記コイルバネ部寄りにあって前記フレーム部のバネ線材を曲げて形成され、前記バネ受けの前記コイルバネ部方向への移動を規制するバネ受け規制部と
を備えたことを特徴とするバネ部材。
【請求項２】
前記フレーム部は、
前記バネ受け規制部を挟んで前記コイルバネ部と反対部位より前記器具本体から離間する方向に前記フレーム部のバネ線材を曲げて形成され、前記バネ受けを器具本体側に押圧する押圧部と、
前記押圧部に連続して前記器具本体に近接する方向に前記フレーム部のバネ線材を曲げて形成された指掛け部と、
前記指掛け部に連続して前記バネ受けの係止片の係止する形状に前記フレーム部のバネ線材を折り曲げて形成された係止部と
を備えたことを特徴とする請求項１に記載のバネ部材。
【請求項３】
被取付位置に取付けられる照明器具であって、
係止片が突設されて発光モジュールの上部に取付けられた凸状のバネ受けと、
前記バネ受けを復元力で器具本体側に押圧して前記発光モジュールを前記器具本体に装着するために前記器具本体側に取付けられたバネ部材とを備え、
前記バネ部材は、
コイル状に形成され、そのコイル軸線方向に離間して配置された複数のコイルバネ部と、
前記コイルバネ部のうちの一つから延出するバネ線材の延出部が前記係止片に係止するように曲げられて形成され、前記コイルバネ部の他方に連続するフレーム部と、
前記フレーム部の前記コイルバネ部寄りにあって前記フレーム部のバネ線材を曲げて形成され、前記バネ受けの前記コイルバネ部方向への移動を規制するバネ受け規制部と
を備えたことを特徴とする照明器具。
【請求項４】
前記フレーム部は、
前記バネ受け規制部を挟んで前記コイルバネ部と反対部位より前記器具本体から離間する方向に前記フレーム部のバネ線材を曲げて形成され、前記バネ受けを器具本体側に押圧する押圧部と、
前記押圧部に連続して前記器具本体に近接する方向に前記フレーム部のバネ線材を曲げて形成された指掛け部と、
前記指掛け部に連続して前記バネ受けの係止片の係止する形状に前記フレーム部のバネ線材を折り曲げて形成された係止部と
を備えたことを特徴とする請求項３に記載の照明器具。
【請求項５】
前記器具本体を被取付位置に取付けた状態で、前記バネ受け規制部は、前記フレーム部から上向きに突出することを特徴とする請求項３又は４に記載の照明器具。
【発明の詳細な説明】
【技術分野】
【０００１】
本発明は、バネ部材及び照明器具に関し、特に天井位置に取付けられた器具本体に発光モジュールを装着して使用する場合に好適なものである。
【背景技術】
【０００２】
照明に用いる発光源として発光ダイオード（以下、ＬＥＤ（Light Emitting Diode））が注目され、種々のＬＥＤを用いた発光モジュール（以下、ＬＥＤモジュールともいう）が開発されている。室内照明には、直管蛍光灯に代えてライン型のＬＥＤモジュール（以下、ラインＬＥＤモジュールともいう）が開発されている。このようなラインＬＥＤモジュールを用いた照明器具としては、例えば下記特許文献１に記載されるものがある。この特許文献１に記載される照明器具は、天井位置に取付けられた器具本体にラインＬＥＤモジュールを装着して使用されるものである。ラインＬＥＤモジュールは一方向に長手であるから、これを装着する器具本体も一方向に長手である。この照明装置では、下向きの係止片が突設された上に凸状のバネ受けがラインＬＥＤモジュールの上部に取付けられる。また、天井位置に取付けられた器具本体にはバネ部材が取付けられている。そして、ラインＬＥＤモジュールのバネ受けをバネ部材の復元力で上方配置の器具本体側に押圧してラインＬＥＤモジュールを器具本体に装着する。このバネ部材には、コイル状に形成されて、そのコイル軸線方向に離間して配置された二個一対のコイルバネ部と、これらのコイルバネ部のうちの一方から延出するバネ線材の延出部がバネ受けの係止片に係止するように曲げられて形成され、コイルバネ部の他方に連続するフレーム部とが形成されている。このバネ部材とバネ受けのセットは、器具本体及びラインＬＥＤモジュールの長手方向両端部又は長手方向両端寄りに配置されている。そして、バネ部材のフレーム部にバネ受けの係止片を係止した状態で、そのバネ部材によってラインＬＥＤモジュールを器具本体から吊り下げ、そこからラインＬＥＤモジュールを押し上げるとバネ部材のフレーム部に形成されている押圧部がコイルバネ部の復元力でバネ受けを上方に押圧し、ラインＬＥＤモジュールが器具本体に装着される。ラインＬＥＤモジュールを取り外すときには、そのラインＬＥＤモジュールを手で下方に引き下げ、バネ部材によるバネ受けの押圧を解除した状態でバネ部材とバネ受けとの係合を解除する。
【先行技術文献】
【特許文献】
【０００３】
【特許文献１】特許第５６１９２２８号公報
【発明の概要】
【発明が解決しようとする課題】
【０００４】
しかしながら、特許文献１に記載される照明器具では、ライン型のＬＥＤモジュールを取り外そうとするとき、ラインＬＥＤモジュール側のバネ受けが器具本体のバネ部材のコイルバネ部寄りに接近しすぎ、その結果、バネ部材によるバネ受けの押圧を解除するのが困難になるといったことがある。
本発明は、上記のような問題点に着目してなされたものであり、ラインＬＥＤモジュールを始めとする発光モジュールを取り外そうとするときのバネ部材によるバネ受けの押圧解除を容易にするバネ部材及び照明器具の提供を目的とするものである。
【課題を解決するための手段】
【０００５】
上記課題を解決するために、本発明の一態様によれば、被取付位置に取付けられる照明器具にあって、係止片が突設された凸状のバネ受けが発光モジュールの上部に取付けられ、バネ受けを器具本体側に押圧して発光モジュールを器具本体に装着するために器具本体側に取付けられたバネ部材であって、コイル状に形成され、そのコイル軸線方向に離間して配置された二個一対のコイルバネ部と、コイルバネ部のうちの一方から延出するバネ線材の延出部が係止片に係止するように曲げられて形成され、コイルバネ部の他方に連続するフレーム部と、フレーム部のコイルバネ部寄りにあってフレーム部のバネ線材を曲げて形成され、バネ受けのコイルバネ部方向への移動を規制するバネ受け規制部とを備えたバネ部材が提供される。
【０００６】
また、本発明の他の態様によれば、被取付位置に取付けられる照明器具であって、係止片が突設されて発光モジュールの上部に取付けられた凸状のバネ受けと、バネ受けを復元力で器具本体側に押圧して発光モジュールを器具本体に装着するために器具本体側に取付けられたバネ部材とを備え、バネ部材は、コイル状に形成され、そのコイル軸線方向に離間して配置された複数のコイルバネ部と、コイルバネ部のうちの一つから延出するバネ線材の延出部が係止片に係止するように曲げられて形成され、コイルバネ部の他方に連続するフレーム部と、フレーム部のコイルバネ部寄りにあってフレーム部のバネ線材を曲げて形成され、バネ受けのコイルバネ部方向への移動を規制するバネ受け規制部とを備えた照明器具が提供される。
【発明の効果】
【０００７】
本発明のバネ部材及び照明器具では、バネ受け規制部がバネ受けのコイルバネ部方向への移動を規制するため、発光モジュールを取り外そうとするときのバネ部材によるバネ受けの押圧力が過大になるのを抑制することでき、これにより発光モジュールを取り外そうとするときのバネ部材によるバネ受けの押圧解除を容易にすることができる。
【図面の簡単な説明】
【０００８】
【図１】本発明のバネ部材及び照明器具の一実施形態を示す器具本体の分解斜視図である。
【図２】図１の器具本体に装着されるラインＬＥＤモジュールの斜視図である。
【図３】図２のラインＬＥＤモジュールの上面に取付けられたバネ受けの斜視図である。
【図４】図１の器具本体に取付けられるバネ部材の斜視図である。
【図５】図１の器具本体に取付けられた状態のバネ部材の斜視図である。
【図６】図４のバネ部材及び図５のバネ受けの取付前状態の斜視図である。
【図７】図４のバネ部材を図５のバネ受けに係止した状態の断面斜視図である。
【図８】ラインＬＥＤモジュールを器具本体に装着した状態のバネ部材及びバネ受けの断面斜視図である。
【図９】ラインＬＥＤモジュールを器具本体に装着した状態の縦断面図である。
【図１０】ラインＬＥＤモジュールを器具本体に装着した状態の正面図である。
【図１１】ラインＬＥＤモジュールを器具本体に取り外そうとしている状態の縦断面図である。
【図１２】従来のバネ部材の説明図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
次に、本発明のバネ部材及び照明器具の一実施形態について図面を参照しながら説明する。図１には、この実施形態のバネ部材及び照明器具の一実施形態を示す器具本体の分解斜視図、図２には、図１の器具本体に装着されるラインＬＥＤモジュールの斜視図を示す。この実施形態の照明器具は、被取付位置である天井位置に取付けられるものであるが、特にラインＬＥＤモジュールＭ自体が天井面とほぼ同一になるように、器具本体１は天井面内部に埋設される。天井面の内部には、周知のように、リップ溝形鋼（Ｃチャンネル）のような横架材が配設されており、この実施形態の器具本体１は、これらの横架材に干渉しないように高さが低く形成されている。
【００１０】
この実施形態の照明器具の器具本体１は、ライン型のＬＥＤモジュールＭを発光体として１本取付けて使用するものである。そのため、器具本体１は、ラインＬＥＤモジュールＭの長手方向に長手である。そして、器具本体１は、下面が開口する下方拡がりのほぼ台形断面の函体であり、この下方開口方形函体が器具本体１の本体部１ａを構成し、その下方開口部にラインＬＥＤモジュールＭを装着した状態で照明器具として使用される。この器具本体１の本体部１ａは、金属製板材を折り曲げたりスポット溶接などにより接合・接続したりして形成されている。そして、器具本体１の本体部１ａは、その上面が水平又はほぼ水平になるようにして、アンカーボルト（図５〜図７参照）５１により天井位置の被取付部位に取付けられる。なお、この実施形態の本体部１ａは、長手方向両端部が開口しているため、金属製板材からなる補強部材１ｂが上面にネジ５２で取付けられている。
【００１１】
なお、これ以下、本体部１ａの上面が水平又はほぼ水平になるように器具本体１を天井位置に配置した状態で説明するものとして、文中の上下方向は図の上下方向に一致し、器具本体１の長手方向及び器具本体１の幅方向を水平面内の直交二方向の基準とする。また、器具本体１の長手方向は、単に器具本体長手方向、器具本体１の幅方向は、単に器具本体幅方向とも記す。また、ラインＬＥＤモジュールＭについては、前述した特許文献１に詳細に説明されているので、その詳細な説明は省略する。
【００１２】
ラインＬＥＤモジュールＭの上面部（上部）には、図３に示すように、後述するバネ部材と係合し、バネ部材の復元力で器具本体１側に押圧されるバネ受け２が取付けられている。このバネ受け２は、器具本体長手方向両端部又は両端寄りの夫々の部位で且つ器具本体幅方向中央部においてラインＬＥＤモジュールＭの上面に取付けられている。このバネ受け２は、金属製板材を折り曲げたりスポット溶接などにより接合・接続したりして形成されている。このバネ受け２は、本体部２ａが上に凸状で、その凸状本体部２ａの下方が開口しており、凸状本体部２ａの両端部がラインＬＥＤモジュールＭの上面にネジ５３で固定されている。このバネ受け２のうち、器具本体長手方向内側には、凸状本体部２ａを下方に折り曲げて方形の係止片３が形成されている。また、このバネ受け２の凸状本体部２ａのうち、係止片３の器具本体幅方向両側には、器具本体長手方向に向けて凸状本体部２ａを凹陥するガイド溝４が形成されている。
【００１３】
一方、器具本体１のバネ受け２に相当する部位、つまり器具本体長手方向両端部又は両端寄りの夫々の部位で且つ器具本体幅方向中央部の上面部（上部）には、図４、図５に示すように、バネ固定部材５を介してバネ部材６が取付けられている。このバネ部材６は、夫々、一本のバネ線材を曲げ加工して形成されている。このバネ部材６では、コイル状に形成され、そのコイル軸線方向に離間して配置された二個一対のコイルバネ部７、コイルバネ部７のうちの一方から延出するバネ線材の延出部がバネ受け２の係止片３に係止するように曲げられて形成され、コイルバネ部７の他方に連続するフレーム部８が形成されている。また、フレーム部８には、フレーム部８のコイルバネ部７寄りにあってフレーム部８のバネ線材を曲げて形成され、バネ受け２のコイルバネ部７方向への移動を規制するバネ受け規制部９、バネ受け規制部９を挟んでコイルバネ部７と反対部位より器具本体１から離間する方向にフレーム部８のバネ線材を曲げて形成され、バネ受け２を器具本体１側に押圧する押圧部１０、押圧部１０に連続して器具本体１に近接する方向にフレーム部８のバネ線材を曲げて形成された指掛け部１１、指掛け部１１に連続してバネ受け２の係止片３の係止する形状にフレーム部８のバネ線材を折り曲げて形成された係止部１２が形成されている。また、コイルバネ部７を挟んでフレーム部８と反対部位には、フレーム部８、特に押圧部１０に器具本体１側への復元力を付与するための突き当て部１３が形成されている。なお、この実施形態では、前述のように器具本体１の本体部１ａを高さ方向に薄くしたため、前述の特許文献１に記載されるものよりも、指掛け部１１の長さを短くしている。また、器具本体１の本体部１ａを高さ方向に更に薄くする場合には、指掛け部１１を更に短くする必要がある。そして、指掛け部１１を短くすることで、後述するラインＬＥＤモジュールＭの装着・取り外しが容易になる場合がある。
【００１４】
バネ固定部材５は、バネ部材６のコイルバネ部７を支持した状態で、器具本体１の本体部１ａの上面部にネジ５４で固定されている。このようにバネ部材６のコイルバネ部７を支持した状態でバネ固定部材５を器具本体１の本体部１ａに固定すると、バネ部材６の突き当て部１３が器具本体１の本体部１ａの上面部に突き当たって（図９参照）弾性変形し、この弾性変形に伴ってコイルバネ部７が押圧部１０に器具本体１側への復元力を付勢する。従って、例えば図８、図９に示すように、バネ受け２の凸部上面部がバネ部材６の押圧部１０に接触する状態でバネ受け２はバネ部材６の復元力によって器具本体１側に押圧され、これによりラインＬＥＤモジュールＭが器具本体１に装着される。また、フレーム部８の押圧部１０と指掛け部１１の間に形成されている屈曲部は、前述した特許文献１に記載されるように、フレーム部８を下方に引き下ろす際、作業者が指を掛けることができるように構成され、これによりラインＬＥＤモジュールＭに取付けられているバネ受け２の係止片３をフレーム部８の係止部１２に容易に係止することができるようになる。なお、器具本体１の本体部１ａの上面部には、バネ部材６のバネ受け規制部９との干渉を回避するために凹陥部が形成されている。
【００１５】
ラインＬＥＤモジュールＭを器具本体１に装着する場合には、図６の状態から、器具本体１に取付けられているバネ部材６の指掛け部１１に指を掛けて、図７に示すように、フレーム部８を下方に引き下ろす。その状態で、ラインＬＥＤモジュールＭに取付けられているバネ受け２の係止片３をバネ部材６のフレーム部８の係止部１２に係止する。器具本体長手方向両端部又は両端寄りの夫々のバネ部材６をバネ受け２に係止すると、二つのバネ部材６によってラインＬＥＤモジュールＭが器具本体１から吊り下げられた状態となる。そして、その状態からラインＬＥＤモジュールＭを押し上げると、図８、図９に示すように、バネ部材６のフレーム部８が、指掛け部１１、押圧部１０の順にバネ受け２のガイド溝４を滑り、押圧部１０がコイルバネ部７の復元力でバネ受け２を上方に押圧し、ラインＬＥＤモジュールＭが器具本体１に装着される。
【００１６】
一方、ラインＬＥＤモジュールＭを取り外すときには、そのラインＬＥＤモジュールＭを手で下方に引き下げ、バネ部材６によるバネ受け２の押圧を解除して行う。この実施形態のバネ部材及び照明器具では、バネ部材６のフレーム部８のうち、コイルバネ部７寄りの部位にバネ受け規制部９が形成され、このバネ受け規制部９によってバネ受け２のコイルバネ部７方向への移動が規制されるため、バネ部材６によるバネ受け２の押圧解除を容易に行うことができる。図１０に示す状態から、ラインＬＥＤモジュールＭを取り外すとき、ラインＬＥＤモジュールＭの長手方向両端部を水平なまま下方に引き下げればよいが、図１１に示すように、長手方向の何れか一方だけが先に下方に引き下げられることもある。このようにラインＬＥＤモジュールＭの長手方向の何れか一方だけが先に下方に引き下げられると、ラインＬＥＤモジュールＭには重力により斜め下方向きの力が作用する。このラインＬＥＤモジュールＭに作用する斜め下向きの力によって、ラインＬＥＤモジュールＭに取付けられているバネ受け２がバネ部材６のコイルバネ部７方向に移動する。
【００１７】
従来のように、バネ部材６にバネ受け規制部９が形成されていないと、図１２に示すように、バネ受け２がバネ部材６のコイルバネ部７の近傍まで移動してしまう。ラインＬＥＤモジュールＭの取り外しは、バネ受け２に作用するバネ部材６の器具本体１側への復元力に抗してラインＬＥＤモジュールＭを下方に引き下げることで行われるので、バネ受け２がバネ部材６のコイルバネ部７側に接近すると、コイルバネ部７の復元力に抗するためのモーメントアームが短くなり、極めて大きな力をかけないとバネ受け２に作用するバネ部材６の器具本体１側への復元力に抗してラインＬＥＤモジュールＭを下方に引き下げることができない。このようになると、場合によっては、ラインＬＥＤモジュールＭを器具本体１に装着した状態に復元し、そこから再度ラインＬＥＤモジュールＭを引き下げる作業を繰り返さなければならないこともある。これに対し、この実施形態のバネ部材及び照明器具では、バネ受け規制部９によってバネ受け２のコイルバネ部７方向への移動が規制されるため、バネ部材６によるバネ受け２の押圧解除を容易に行うことができ、これによりラインＬＥＤモジュールＭの取り外し作業が容易になる。
【００１８】
このように、この実施形態のバネ部材及び照明器具では、被取付位置である天井位置に取付けられる照明器具にあって、ラインＬＥＤモジュールＭの上部には、係止片３が突設された上に凸状のバネ受け２が取付けられる。また、器具本体１側には、バネ受け２を復元力で器具本体１側に押圧してラインＬＥＤモジュールＭを器具本体１に装着するためのバネ部材６が取付けられる。このバネ部材６は、コイル状に形成され、そのコイル軸線方向に離間して配置された二個一対のコイルバネ部７と、このコイルバネ部７のうちの一つから延出するバネ線材の延出部が係止片３に係止するように曲げられて形成され、コイルバネ部７の他方に連続するフレーム部８と、このフレーム部８のコイルバネ部７寄りにあってフレーム部８のバネ線材を曲げて形成され、バネ受け２のコイルバネ部７方向への移動を規制するバネ受け規制部９とを備える。そのため、ラインＬＥＤモジュールＭを器具本体１から取り外す際、バネ受け２がバネ部材６のコイルバネ部７側に接近しすぎるのを規制することができるから、バネ部材６によるバネ受け２の押圧解除を容易に行うことができ、これによりラインＬＥＤモジュールＭの取り外し作業が容易になる。
【００１９】
また、フレーム部８は、バネ受け規制部９を挟んでコイルバネ部７と反対部位より器具本体１から離間する方向にフレーム部８のバネ線材を曲げて形成され、バネ受け２を器具本体１側に押圧する押圧部１０と、この押圧部１０に連続して器具本体１に近接する方向にフレーム部８のバネ線材を曲げて形成された指掛け部１１と、指掛け部１１に連続してバネ受け２の係止片３の係止する形状にフレーム部８のバネ線材を折り曲げて形成された係止部１２とを備える。そのため、バネ受け２をバネ部材６のフレーム部８の押圧部１０で効果的に器具本体１側に押圧することができると共に、フレーム部８の係止部１２を器具本体１側から離間する場合には指掛け部１１に指を掛けて容易に行うことができ、更に係止部１２がバネ受け２の係止片３に確実に係止してラインＬＥＤモジュールＭを支持することが可能となる。
【００２０】
また、器具本体１を被取付位置に取付けた状態で、バネ受け規制部９はフレーム部８から上向きに突出する構成とした。これにより、バネ受け２のコイルバネ部７方向への移動を効果的に規制することができる。
なお、前述の実施形態では、天井位置に取付けられる照明器具についてのみ説明したが、本発明の照明器具及びそれに用いられるバネ部材は、天井以外の被取付位置に取付けられるものにも適用可能である。
【００２１】
また、バネ部材をラインＬＥＤモジュールに、バネ受けを器具本体に設けてもよい。
また、ＬＥＤモジュールを発光モジュールに用いたが、これに代えて蛍光灯などの発光モジュールを使用することも可能である。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００２２】
１  器具本体
２  バネ受け
３  係止片
４  ガイド溝
５  バネ固定部材
６  バネ部材
７  コイルバネ部
８  フレーム部
９  バネ受け規制部
１０  押圧部
１１  指掛け部
１２  係止部
１３  突き当て部
５１  アンカーボルト
５２  ネジ
５２  ネジ
５３  ネジ
５４  ネジ
Ｍ  ラインＬＥＤモジュール（発光モジュール）
【図１】
0006491529.tif 000002
【図２】
0006491529.tif 000003
【図３】
0006491529.tif 000004
【図４】
0006491529.tif 000005
【図５】
0006491529.tif 000006
【図６】
0006491529.tif 000007
【図７】
0006491529.tif 000008
【図８】
0006491529.tif 000009
【図９】
0006491529.tif 000010
【図１０】
0006491529.tif 000011
【図１１】
0006491529.tif 000012
【図１２】
0006491529.tif 000013